(57)【要約】【課題】  ユーザが使用したいモードに応じて急速充電の目標電圧を設定し、最低限動作可能な電圧まで短時間で充電できるようにする。【解決手段】  撮像装置は、電池の電圧を検出可能な電池電圧検出手段と、充電後に使用されるモードを推定し急速充電の目標電圧を設定する目標電圧設定手段と、目標電圧に応じて充電制御を行う充電制御手段とを有し、充電制御手段は、短時間で目標電圧まで充電するために必要な充電電流を設定する。【選択図】  図１
2019087501.tif 000002
【特許請求の範囲】
【請求項１】
電池の電圧を検出可能な電池電圧検出手段と、
充電後に使用されるモードを推定し急速充電の目標電圧を設定する目標電圧設定手段と、
前記目標電圧に応じて充電制御を行う充電制御手段と
を有し、
前記充電制御手段は、短時間で前記目標電圧まで充電するために必要な充電電流を設定することを特徴とする撮像装置。
【請求項２】
前記充電制御手段は、前記目標電圧までは第一の充電電流で定電流充電を行い、前記目標電圧から所定電圧までは前記第一の充電電流よりも小さい第二の充電電流で定電流充電を行い、前記所定電圧に到達した後は定電圧充電を行うように制御することを特徴とする請求項１に記載の撮像装置。
【請求項３】
供給側の給電能力を判定する給電能力判定手段をさらに有し、
前記目標電圧設定手段は、供給側の給電能力が第一の給電能力であると判定された場合には、前記目標電圧設定手段は第一の目標電圧に設定し、供給側の給電能力が第一の給電能力よりも大きい第二の給電能力であると判定された場合には、前記第一の目標電圧よりも大きい第二の目標電圧に設定することを特徴とする請求項１に記載の撮像装置。
【請求項４】
電池電圧が前記目標電圧に到達した際に、ユーザに急速充電が完了したことを通知するか、撮影可能枚数または動画記録可能時間を通知することを特徴とする請求項１に記載の撮像装置。
【請求項５】
電池電圧が前記目標電圧に到達した際に、ユーザに満充電まで充電を継続した場合の充電時間を通知することを特徴とする請求項１に記載の撮像装置。
【請求項６】
前記目標電圧設定手段は、前回の使用時に電池が切れる直前まで動作していた動作モードが充電後に再度使用されると推定し、急速充電の目標電圧を設定することを特徴とする請求項１に記載の撮像装置。
【請求項７】
前記撮像装置の動作モードを設定することができるモード設定部をさらに有し、
前記目標電圧設定手段は、前記モード設定部で設定されている動作モードが充電後に使用されると推定し、急速充電の目標電圧を設定することを特徴とする撮像装置。
【請求項８】
前記目標電圧設定手段は、ユーザの使用頻度が高い動作モードが充電後に使用されると推定し、急速充電の目標電圧を設定することを特徴とする請求項７に記載の撮像装置。
【発明の詳細な説明】
【技術分野】
【０００１】
本発明は、電池の充電が可能な撮像装置、その制御方法およびそれらに関するプログラムに関するものである。
【背景技術】
【０００２】
近年、電子機器の電池への充電方法として、大電流で充電する急速充電が一般的になりつつある。急速充電を行うことにより、充電に要する時間を短縮できるというメリットがある。デジタルカメラ等の撮像装置においても、使用したい場合に素早く起動できるように短時間で充電を行うことが求められている。
【０００３】
特許文献１には、電池残量に応じて充電電流を変更する方法が記載されている。特許文献２には、所定電圧まで比較的大きな第一の電流値で充電し、それ以降は第一の電流値よりも小さい第二の電流値で充電を行うことで、充電時間を短縮する方法が記載されている。
【先行技術文献】
【特許文献】
【０００４】
【特許文献１】特開平７−１７７６７２号公報
【特許文献２】特開２００７−９７３９７号公報
【発明の概要】
【発明が解決しようとする課題】
【０００５】
しかしながら、特許文献１および２に記載されている方法では、急速充電（第一の電流値による充電）と通常充電（第二の電流値による充電）との切り替え電圧が一意的に決められてしまう。そのため、ＵＳＢ（Ｕｎｉｖｅｒｓａｌ  Ｓｅｒｉａｌ  Ｂｕｓ）のように複数の供給能力を有する場合、給電能力が低い場合には電流値の大きさが不足し、切り替え電圧まで急速充電を行うことができなくなる可能性がある。
【０００６】
また、ユーザの立場から考えると、電池が切れた状態から最低限動作できる電圧まで充電を行い、短時間でもよいので緊急的に使用したいという場面は多い。例えば、起動できなくなるまで放電した撮像装置において、数十枚でもよいので今すぐに撮影したいという場面が考えられる。このとき、撮像装置のように複数の動作モード（静止画撮影モード、動画撮影モード等）を有する電子機器の場合、使用したい動作モードによって最低限動作させるのに必要な電池残量は異なる。
【０００７】
そこで、本発明は、ユーザが使用したい動作モードに応じて急速充電の目標電圧を設定し、最低限動作可能な電圧まで短時間で充電できるようにすることを目的とする。
【課題を解決するための手段】
【０００８】
本発明に係る撮像装置は、電池の電圧を検出可能な電池電圧検出手段と、充電後に使用されるモードを推定し急速充電の目標電圧を設定する目標電圧設定手段と、前記目標電圧に応じて充電制御を行う充電制御手段とを有し、前記充電制御手段は、短時間で前記目標電圧まで充電するために必要な充電電流を設定することを特徴とする。
【発明の効果】
【０００９】
本発明によれば、ユーザが使用したい動作モードに応じて急速充電の目標電圧を設定し、最低限動作可能な電圧まで短時間で充電することができる。
【図面の簡単な説明】
【００１０】
【図１】実施形態１および２における撮像装置１００の構成要素を説明するためのブロック図である。
【図２】実施形態１における充電制御切り替えのタイミングを説明するための図である。
【図３】実施形態１における充電電流および電池電圧の変化の様子を説明するための図である。
【図４】実施形態２における充電制御切り替えのタイミングを説明するための図である。
【図５】実施形態２における充電電流および電池電圧の変化の様子を説明するための図である。
【図６】急速充電完了時の通知情報の一例を示す図である。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１および２における撮像装置１００の構成要素を説明するためのブロック図である。
【００１３】
１２０は撮像装置１００全体を制御するシステム制御部である。１２１は撮像素子であり、レンズ２１０、絞り２１１、レンズマウント１０２および２０２、シャッター１４４を介して不図示の被写体の光学像が結像し、その光学像を電気信号に変換する。１２２はＡ／Ｄ変換部であり、撮像素子１２１のアナログ信号出力をデジタル信号に変換する。Ａ／Ｄ変換部１２２でＡ／Ｄ変換されたデジタル信号は、メモリ制御部１２５およびシステム制御部１２０により制御され、メモリ１２６に格納される。
【００１４】
１１９は撮像素子１２１の露光時間制御部であり、システム制御部からの指示に従い、画素グループ毎の露光時間を変更するための制御信号を撮像素子１２１に出力する。詳細は後述する。
【００１５】
１２３は画像処理部であり、Ａ／Ｄ変換部１２２でＡ／Ｄ変換されたデジタル信号のデータ或いはメモリ制御部１２５からのデータに対して所定の画素補間処理や色変換処理を行う。画像処理部１２３は、適応離散コサイン変換（ＡＤＣＴ）等により画像データを圧縮伸長する圧縮・伸長回路も有する。メモリ１２６に格納された画像を読み込んで圧縮処理或いは伸長処理を行い、処理を終えたデータをメモリ１２６に書き込むことも可能である。ディスプレイ１５３およびＥＶＦ１５１の表示画像データを生成し、明るさ調整、コントラスト調整、ガンマ補正、カラーバランス調整等の種々の画像処理を行うことも可能である。１２４はＡＥ演算部である。ＡＥ（自動露出）処理を行うために、撮影画像から露出状態を測定することができる。
【００１６】
１２５はメモリ制御部である。Ａ／Ｄ変換部１２２、画像処理部１２３、ＡＥ演算部１２４、ＡＦ信号処理部１２９、露光時間算出部１３０、顔検出部１５６、動き量検出部１５７、ディスプレイ駆動部１５２、ＥＶＦ駆動部１５０、外部着脱メモリ部１２８とメモリ１２６間のデータ送受を制御する。Ａ／Ｄ変換部１２２のデータが画像処理部１２３、メモリ制御部１２５を介して、或いはＡ／Ｄ変換部１２２のデータが直接メモリ制御部１２５を介して、メモリ１２６に書き込まれる。
【００１７】
１２６は撮影した静止画像および動画像、再生用表示のための画像のデータを格納するためのメモリであり、所定枚数の静止画像や動画像を格納するのに十分な記憶量を有する。なお、メモリ１２６はシステム制御部１２０のプログラムスタック領域、ステータス記憶領域、演算用領域、ワーク用領域、画像表示データ用領域が確保されている。各種の演算は、メモリ１２６の演算用領域を利用し、システム制御部１２０により実行される。
【００１８】
１２７は電気的に消去・記録可能な不揮発性メモリであり、例えばフラッシュメモリやＥＥＰＲＯＭ等が用いられる。不揮発性メモリ１２７には、撮影状態の保存や、撮像装置１００を制御するプログラムが格納されている。１２８はコンパクトフラッシュやＳＤカードといった記録媒体に画像ファイル記録や読出を行うための外部着脱メモリ部である。
【００１９】
１３１は電源部であり、電池、電池検出回路、ＤＣ−ＤＣコンバータ等を有し、電池の接続の有無を検出したり、電池の種類を検出したりする。また、検出結果およびカメラ制御部１４０の指示に基づいてＤＣ−ＤＣコンバータを制御し、必要な電圧を必要な期間、撮像装置１００の各構成要素へ供給する。
【００２０】
１６１は電池電圧検出部であり、電源部１３１に含まれている電池の電圧および残量を検出する。１６２は目標電圧設定部であり、充電後に使用される動作モードを推定し、急速充電の目標電圧を設定する。使用したい動作モードの推定方法は後述する。１６３は給電能力判定部であり、ＵＳＢケーブル１６７を介して撮像装置１００と接続される電力供給側の給電能力や規格を判定する。１６４は充電制御部であり、目標電圧設定部１６２が設定した目標電圧や給電能力判定部１６３で判定した供給側の能力に基づき、充電電流や電圧の制御を行う。１６５および１６６は撮像装置１００とＵＳＢケーブル１６７を電気的に接続するコネクタである。
【００２１】
なお、電池電圧検出部１６１、目標電圧設定部１６２、給電能力判定部１６３、充電制御部１６４はカメラ制御部１４０に含まれる構成であってもよい。
【００２２】
１４０はカメラ制御部であり、シャッター制御部１４１、レンズ制御部２０３、ストロボ発光制御部３０２との送受信により撮像装置１００としての一連の動作を制御する。また、撮像装置１００全体の電源制御や、撮像装置１００の動作モードの遷移制御を行う。１４１はシャッター制御部であり、ＡＥ演算部１２４からの露出情報に基づいて、絞り２１１を制御するレンズ制御部２０３と連携しながら、シャッター１４４を制御する。
【００２３】
１３２、１３３、１３４、１３５、１３６、１３７および１３８は、カメラ制御部１４０への各種の動作指示を入力するための操作手段である。操作手段は、スイッチやダイヤル、等の単数或いは複数の組み合わせで構成される。
【００２４】
ここで、これらの操作手段の具体的な説明を行う。１３２は再生表示スイッチであり、ディスプレイ１５３に所定の画像データを表示する再生表示モード操作ができる。外部着脱メモリ部１２８に格納された画像ファイルを再生表示する場合は、必ずこの再生スイッチ１３２により操作する。また、再生表示モードにてこの操作が行われた場合には、再生表示モードから静止画撮影モード、動画撮影モード、ライブビュー（以下、ＬＶ）撮影モードなどへの切り替えができる。
【００２５】
１３３はメニュースイッチであり、ディスプレイ１５３に各種項目一覧を表示する。この表示内容としては撮影に関する状態設定、記録媒体のフォーマット、時計の設定、現像パラメータ設定、およびユーザ機能設定（カスタム機能の設定）がある。
【００２６】
１３４はモードダイヤルである。モードダイヤル１３４を操作することにより、ユーザは、撮像装置１００の動作モードを静止画撮影モード、動画撮影モード、ＬＶ撮影モードなどのいずれかに切り替えることができる。
【００２７】
１３５はレリーズスイッチであり、レリーズボタンの半押し（ＳＷ１）および全押し（ＳＷ２）で各々ＯＮとなるスイッチである。半押し状態ではＡＦ処理、ＡＥ処理、ＡＷＢ（オートホワイトバランス）処理、ＥＦ（フラッシュ調光）処理等の動作開始を指示する。全押し状態では、撮像素子１２１から読み出した信号をＡ／Ｄ変換部１２２、メモリ制御部１２５を介してメモリ１２６に画像データを書き込む撮像処理、画像処理部１２３やメモリ１２６での演算を用いた現像処理を行う。
【００２８】
さらに、メモリ１２６から画像データを読み出し、画像処理部１２３で圧縮を行い、外部着脱メモリ部１２８に画像データを書き込む記録処理という一連の処理の動作開始を指示する。
【００２９】
１３６は各種ボタンスイッチからなる操作部であり、セット、マクロ、ページ送り、フラッシュ設定、メニュー移動、ホワイトバランス選択、撮影画質選択、露出補正、日付／時間設定ができる。さらに、４方向スイッチ、再生画像のズーム倍率変更スイッチ、撮影直後に撮影画像を自動再生するクイックレビューＯＮ／ＯＦＦスイッチ、再生画像を消去するスイッチがある。ディスプレイ１５３およびＥＶＦ１５１の画像表示ＯＮ／ＯＦＦスイッチも兼ねている。
【００３０】
また、ＪＰＥＧおよびＭＰＥＧ圧縮の各圧縮率と、撮像素子の信号をそのままデジタル化して記録するＣＣＤＲＡＷモードとを選択する圧縮モードスイッチがある。その他、レリーズスイッチ半押し状態でＡＦの合焦状態を保ち続けるワンショットＡＦモードと連続してＡＦ動作を続けるサーボＡＦモードとを設定するＡＦモード設定スイッチ等がある。
【００３１】
１３７は電子ダイヤルであり、シャッタースピード、絞り値、露出等を設定することができる。１３８は電源スイッチであり、撮像装置１００の電源オン、電源オフを切り替えることができる。また、撮像装置１００に接続されたレンズユニット２００、ストロボユニット３００、記録媒体等の各種付属装置の電源オン、電源オフも合わせて切り替えることができる。
【００３２】
１３９はタイマーであり、時計機能、カレンダー機能、タイマーカウンター機能、アラーム機能があり、スリープモードへの移行時間や、アラーム通知等のシステム管理に用いられる。
【００３３】
１５０はＥＶＦ駆動部であり、ＥＶＦ１５１を駆動するための駆動タイミング信号を供給する。また、ＥＶＦ１５１の駆動電圧を生成するための昇圧手段および降圧手段を内蔵しており、種々の駆動電圧を生成し、上述の駆動タイミング信号に同期してＥＶＦ１５１に印加する。
【００３４】
１５１はＥＶＦであり、有機ＥＬ型や液晶型等により構成される。例えば有機ＥＬ型の場合、薄膜トランジスタアクティブマトリクス駆動方式の有機ＥＬパネルを内蔵する。有機ＥＬパネルの１つの表示素子はＲＧＢ３つの有機ＥＬ素子で構成されており、有機ＥＬ素子に電圧を加えることで発光する。ＥＶＦ駆動部１５０から各有機ＥＬ素子に印加される電圧を調整することにより、各色の発光量を制御することが可能であり、所望の画像を階調表示することができる。
【００３５】
ディスプレイ１５３と同様に、システム制御部１２０の指示により、メニュー画面、画像ファイル、ライブビュー表示等が可能である。ディスプレイ１５３およびＥＶＦ１５１は、操作ボタン１３６等により各々の表示を独立にＯＮ／ＯＦＦ制御することが可能であり、同時に表示することも当然のことながら可能である。
【００３６】
１５２はディスプレイ駆動部であり、ディスプレイ１５３を駆動するための駆動タイミング信号を供給する。１５３はディスプレイであり、有機ＥＬ型や液晶ディスプレイ型等により構成される。１５４はバックライト照明であり、ＬＥＤや蛍光管、有機ＥＬ等の光源および光を面発光にするための導光板、反射板、拡散板から構成されている。ディスプレイ１５３の背面に固定されており、ディスプレイ１５３を背面から投光する。ディスプレイ１５３には、ＡＦ枠や、撮像装置１００の設定状態を示すアイコンなどを表示することができる。
【００３７】
１５５はタッチパネルであり、ディスプレイ１５３の上に設置されている。タッチ検出方式としては、抵抗膜方式、静電容量方式、光学式方式等が使用される。
【００３８】
１０２および２０２はレンズマウントであり、撮像装置１００をレンズユニット２００と接続するためのインターフェイスである。１０１および２０１は撮像装置１００をレンズユニット２００と電気的に接続するコネクタであり、カメラ制御部１４０により制御される。１１１および３０１はアクセサリシューであり、撮像装置１００をストロボユニット３００と接続するためのインターフェイスである。
【００３９】
２００は交換レンズタイプのレンズユニットであり、不図示の被写体の光学像をレンズ２１０から、絞り２１１、レンズマウント２０２および１０２、シャッター１４４を介して導き、撮像素子１２１上に結像することができる。
【００４０】
２０３はレンズユニット２００全体を制御するレンズ制御部である。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も有する。レンズ制御部２０３は、ＡＦ信号処理部１２９より測定された画像の合焦状態に応じて、レンズ２１０のフォーカシングを制御し、撮像素子１２１に入射する被写体像の結像位置を変更することでＡＦ動作を行うことが可能である。また、レンズ制御部２０３は絞り２１１の制御や、レンズ２１０のズーミングを制御する機能も兼ね備える。
【００４１】
３００はアクセサリシュー１１１に接続するストロボユニットである。３０１はアクセサリシュー１１１内において、ストロボユニット３００と撮像装置１００と電気的に接続するインターフェイスである。３０２はストロボユニット３００全体を制御するストロボ発光制御部であり、不図示のキセノン管等の発光部に対し、ＡＥ演算部１２４らの露出情報に基づいて発光量や発光タイミングを制御することでＥＦ制御を行う。
【００４２】
次に、図２、図３（ａ）、図３（ｂ）および図３（ｃ）を参照して、実施形態１における撮像装置１００の充電制御について説明する。
【００４３】
図２は、充電制御切り替えのタイミングを説明するための図である。ここでは、説明の簡略化のため、撮像装置１００の動作モードとして、静止画撮影モード、動画撮影モードおよびＬＶ撮影モードの３つを挙げるが、さらに多くの動作モードが使用可能であってもよい。また、実施形態１においては、供給側の給電能力は７．５Ｗであるとする。
【００４４】
図２の縦軸は目標電圧設定部１６２によって充電後にユーザが使用すると推定された動作モードを示し、横軸は電池電圧検出部１６１において検出される電池電圧を示す。図中のＣＣ１は第一の電流値による定電流充電期間を示す。ＣＣ２は第一の電流値より小さい第二の電流値による定電流充電期間を示す。ＣＶは定電圧充電期間を示す。５００は電池の禁止電圧、５０１はＣＣ２とＣＶの切り替え電圧、５０２は満充電時の電圧である。
【００４５】
目標電圧設定部１６２が行う、充電後に使用される動作モードの推定方法の例を以下に述べる。
（１）前回の使用時に電池が切れる直前まで動作していた動作モードが充電後に再度使用されると推定する。
（２）モードダイヤル１３４で設定されている動作モードが充電後に使用されると推定する。
（３）ユーザの使用頻度が高い動作モードが充電後に使用されると推定する。
【００４６】
目標電圧設定部１６２は、推定した動作モードに応じて最低限動作可能な電圧を算出し、その電圧を急速充電の目標電圧として設定する。これは、動作モードによって消費電力が異なり、最低限動作させるために必要な電池電圧が異なるためである。
【００４７】
充電制御部１６４は、上述の目標電圧と給電能力判定部１６３で判定された供給側の給電能力に応じて、ＣＣ１およびＣＣ２期間の充電電流を設定する。さらに、ＣＣ１、ＣＣ２、ＣＶの切り替えも充電制御部１６４で行う。
【００４８】
また、５０３は充電後に静止画撮影モードが使用されると推定された際の急速充電の目標電圧Ｖ１（ＣＣ１とＣＣ２の切り替え電圧）である。５０４は充電後に動画撮影モードが使用されると推定された際の急速充電の目標電圧Ｖ２である。５０５は充電後にＬＶ撮影モードが使用されると推定された際の急速充電の目標電圧Ｖ３である。Ｖ１、Ｖ２およびＶ３はそれぞれ各動作モードが最低限動作可能となる電圧であるため、比較的低い電圧レベルである。
【００４９】
次に、図３（ａ）、図３（ｂ）および図３（ｃ）を参照して、各動作モードにおける電池電圧と充電電流の変化の様子を説明する。図３（ａ）、図３（ｂ）および図３（ｃ）に示す符号のうち、図２に示す符号と同じものについては、図２で説明したものと同じであるため、それらの説明を省略する。図３（ａ）、図３（ｂ）および図３（ｃ）では、満充電時の電圧が８Ｖの電池を例に挙げる。グラフの横軸は充電開始からの経過時間を示しており、縦軸は電池電圧と充電電流を示している。また、グラフの左側に電圧の目盛りが示され、右側に電流の目盛りが示されている。
【００５０】
図３（ａ）は充電後に静止画撮影モードが使用されると推定された場合の波形である。５０は電池電圧の変化を示す波形であり、５１は充電電流の変化を示す。時間０〜ｔ１１はＣＣ１期間であり、充電制御部１６４は第一の電流値（実施形態１では１１００ｍＡ）で定電流充電を行う。電池電圧は時間ｔ１１で目標電圧Ｖ１に到達し、この時点で静止画撮影モードが最低限使用可能になる。ＣＣ１の期間は、Ｖ１という低い電圧まで充電できればよいので、充電電流を大きくすることができ、短時間で充電可能である。
【００５１】
また、電池電圧がＶ１に達した段階で、撮像装置１００はユーザに対してその旨を通知する。このとき、図６（ａ）に示すような通知情報をディスプレイ１５３に表示してもよい。目標電圧Ｖ１に到達後も充電を継続する場合は、次のステップであるＣＣ２に進む。
【００５２】
時間ｔ１１〜ｔ１２はＣＣ２期間であり、充電制御部１６４は第一の電流値よりも小さな第二の電流値（実施形態１では７５０ｍＡ）で定電流充電を行う。電池電圧が高くなるに従って、充電に必要な電圧も高くなるため、ＣＣ２では充電電流をＣＣ１よりも小さくしている。
【００５３】
時間ｔ１２以降はＣＶ期間であり、充電制御部１６４は定電圧充電を行う。図で示したようにＣＶでは徐々に充電電流が減少していき、終始電流（実施形態１では約５０ｍＡ）まで下がったら満充電と判定し充電を完了する。
【００５４】
図３（ｂ）は充電後に動画撮影モードが使用されると推定された場合の波形である。５２は電池電圧の変化を示す波形であり、５３は充電電流の変化を示す。時間０〜ｔ２１はＣＣ１期間であり、充電制御部１６４は第一の電流値（実施形態１では１０００ｍＡ）で定電流充電を行う。急速充電の目標電圧Ｖ２がＶ１より大きいため、第一の電流値を図３（ａ）よりも小さく設定し、給電能力の範囲内に収まるように制御している。また、図３（ａ）と同様に、Ｖ２に達した段階で、撮像装置１００はユーザに対してその旨を通知する。
【００５５】
時間ｔ２１〜ｔ２２はＣＣ２期間であり、時間ｔ２２以降はＣＶ期間である。それぞれ図３（ａ）のＣＣ２、ＣＶと同様の制御となるため、説明は省略する。
【００５６】
図３（ｃ）は充電後にＬＶ撮影モードが使用されると推定された場合の波形である。５４は電池電圧の変化を示す波形であり、５５は充電電流の変化を示す。時間０〜ｔ３１はＣＣ１期間であり、充電制御部１６４は第一の電流値（実施形態１では９００ｍＡ）で定電流充電を行う。急速充電の目標電圧Ｖ３がＶ２より大きいため、第一の電流値を図３（ｂ）よりも小さく設定し、給電能力の範囲内に収まるように制御している。また、図３（ａ）および図３（ｂ）と同様に、Ｖ３に達した段階で、撮像装置１００はユーザに対してその旨を通知する。
【００５７】
時間ｔ３１〜ｔ３２はＣＣ２期間であり、時間ｔ３２以降はＣＶ期間である。それぞれ図３（ａ）のＣＣ２、ＣＶと同様の制御となるため、説明は省略する。
【００５８】
動作モード毎の消費電力の大きさ、目標電圧の大きさ、充電電流の大きさ、使用可能となるまでの時間は以下のようになる。
・使用時の消費電力の大きさ：静止画撮影モード＜動画撮影モード＜ＬＶ撮影モード
・目標電圧の大きさ：静止画撮影モード（Ｖ１）＜動画撮影モード（Ｖ２）＜ＬＶ撮影モード（Ｖ３）
・ＣＣ１期間の充電電流の大きさ：静止画撮影モード＞動画撮影モード＞ＬＶ撮影モード
・使用可能となるまでの時間：静止画撮影モード（ｔ１１）＜動画撮影モード（ｔ２１）＜ＬＶ撮影モード（ｔ３１）
このように、使用時の消費電力が大きい動作モードほど目標電圧設定部１６２は目標電圧を高く設定する。これにより、各動作モードを最低限使用可能な電圧まで急速充電することができる。また、静止画撮影モードのように比較的消費電力が低いモードに関しては、より短時間で動作可能な電圧まで充電することができる。
【００５９】
以上説明したように、実施形態１の撮像装置１００によれば、ユーザが使用したいモードに応じて適切な充電電流で急速充電を行うことができ、希望するモードを緊急的に使用できる電圧まで短時間で充電することができる。
【００６０】
［実施形態２］
以下、図４、図５（ａ）、図５（ｂ）および図５（ｃ）を参照して、実施形態２における撮像装置１００およびその充電制御方法について説明する。なお、実施形態２における撮像装置１００の構成要素は実施形態１における撮像装置１００の構成要素と同様であるため、それらの説明を省略する。
【００６１】
図４は、充電制御切り替えのタイミングを説明するための図である。ここでは例として、給電能力が１５Ｗ、７．５Ｗおよび２．５Ｗの３パターンを示す。また、実施形態２においては充電後に静止画撮影モードが使用されると推定された場合を挙げる。図４の縦軸は供給側の給電能力を示し、横軸は電池電圧を示す。図中のＣＣ１は第一の電流値による定電流充電期間を示す。ＣＣ２は第一の電流値より小さい第二の電流値による定電流充電期間を示す。ＣＶは定電圧充電期間を示す。また、図２と同様に５００は電池の禁止電圧、５０１はＣＣ２およびとＣＶの切り替え電圧、５０２は満充電時の電圧を示す。
【００６２】
実施形態２において、撮像装置１００は各動作モードに対して急速充電の目標電圧を二段階（第一の目標電圧、第二の目標電圧）有し、充電制御部１６４は給電能力判定部１６３が判定した供給側の給電能力に応じてどちらの段階まで急速充電を行うかを切り替える。第一の目標電圧は、実施形態１でも説明した最低限動作させるのに必要な電池電圧である。第二の目標電圧は、第一の目標電圧よりも高い電圧である。このため、第二の目標電圧まで充電すると、静止画撮影時の撮影可能枚数や動画撮影時の記録可能時間が多くなる。
【００６３】
なお、ここでは一例として二段階としているが、第三の目標電圧または第四の目標電圧のように複数段階設定可能であってもよい。図４において、５０３は第一の目標電圧Ｖ１を示し、５１０は第二の目標電圧Ｖ４を示す。実施形態２においては、供給側の給電能力が高い場合（１５Ｗ）は第二の目標電圧Ｖ４まで急速充電を行い、給電能力が低い場合（７．５Ｗ、２．５Ｗ）は第一の目標電圧Ｖ１まで急速充電を行う。
【００６４】
次に、図５（ａ）、図５（ｂ）および図５（ｃ）を参照して、各給電能力における電池電圧と充電電流の変化の様子を説明する。図５（ａ）、図５（ｂ）および図５（ｃ）に示す符号のうち、図４に示す符号と同じものについては、図４で説明したものと同じであるため、それらの説明を省略する。図５（ａ）、図５（ｂ）および図５（ｃ）では、図３（ａ）、図３（ｂ）および図３（ｃ）と同様に満充電時の電圧が８Ｖの電池を例に挙げる。グラフの横軸は充電開始からの経過時間を示しており、縦軸は電池電圧と充電電流を示している。また、グラフの左側に電圧の目盛りが示され、右側に電流の目盛りが示されている。
【００６５】
図５（ａ）は図３（ａ）と同じ図であり、給電能力が７．５Ｗの場合の波形である。説明は実施形態１において記述済みであるため、ここでは省略する。
【００６６】
図５（ｂ）は給電能力が１５Ｗの場合の波形である。５６は電池電圧の変化を示す波形であり、５７は充電電流の変化を示す。このときは給電能力が高いため、第二の目標電圧Ｖ４まで急速充電を行う。時間０〜ｔ４１はＣＣ１期間であり、第一の電流値（１１００ｍＡ）で定電流充電を行う。電池電圧は時間ｔ１１（＜ｔ４１）において第一の目標電圧Ｖ１に到達し、静止画撮影モードが最低限使用可能となる。撮像装置１００はこのタイミングでユーザに対して使用可能である旨を通知する。
【００６７】
このとき、図６（ｂ）に示すような通知情報をディスプレイ１５３に表示してもよい。充電が継続される場合は、そのまま第一の電流値で継続し、時間ｔ４１において第二の目標電圧Ｖ４に到達した段階で、再度ユーザに通知をする。充電を続行する場合は次のステップであるＣＣ２に進む。このように、給電能力に応じて急速充電の目標電圧を変更することで、給電能力が高い場合にはより高い電圧まで急速充電を行うことができる。また、電池電圧が第一の目標電圧に達した場合に通知をすることにより、ユーザが最低限使用可能となったタイミングを見逃すこともない。
【００６８】
時間ｔ４１〜ｔ４２はＣＣ２期間であり、時間ｔ４２以降はＣＶ期間である。それぞれ図３（ａ）のＣＣ２、ＣＶと同様の制御となるため、説明は省略する。
【００６９】
図５（ｃ）は給電能力が２．５Ｗの場合の波形である。５８は電池電圧の変化を示す波形であり、５９は充電電流の変化を示す。このときは給電能力が低いため、図５（ａ）と同様に第一の目標電圧Ｖ１まで急速充電を行う。時間０〜ｔ５１はＣＣ１期間であり、第一の電流値（３５０ｍＡ）で定電流充電を行う。このように給電能力が低い場合にも充電電流を極力大きくすることで、最低限動作可能な電圧までの充電時間を従来よりも短縮する。
【００７０】
時間ｔ５１〜ｔ５２はＣＣ２期間であり、時間ｔ５２以降はＣＶ期間である。それぞれ図３（ａ）のＣＣ２、ＣＶと同様の制御となるため、説明は省略する。
【００７１】
以上説明したように、実施形態２の撮像装置１００によれば、供給側の給電能力に応じて急速充電の目標電圧を変更し、給電能力が低い場合にも短時間で最低限動作可能な電圧まで充電することができる。また、実施形態２の撮像装置１００によれば、給電能力が高い場合にはより高い電圧まで急速充電を行うことができる。
【００７２】
［実施形態３］
実施形態１および２で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態３では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態３では、コンピュータＸを制御するためのプログラムであって、実施形態１および２で説明した様々な機能、処理または方法を実現するためのプログラムを「プログラムＹ」と呼ぶ。
【００７３】
実施形態１および２で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態３におけるコンピュータ読み取り可能な記憶媒体は、ｎｏｎ−ｔｒａｎｓｉｔｏｒｙな記憶媒体である。
【００７４】
なお、本発明の実施形態は上述の実施形態１、２または３に限定されるものではない。発明の要旨を逸脱しない範囲で変更または修正された実施形態１、２または３も本発明の実施形態に含まれる。
【符号の説明】
【００７５】
１００  撮像装置
１６１  電池電圧検出部
１６２  目標電圧設定部
１６３  給電能力判定部
１６４  充電制御部
【図１】
2019087501.tif 000003
【図２】
2019087501.tif 000004
【図３】
2019087501.tif 000005
【図４】
2019087501.tif 000006
【図５】
2019087501.tif 000007
【図６】
2019087501.tif 000008